(57)【特許請求の範囲】
【請求項１】
駆動基板が複数の配線基板を介して表示パネルに接続されてなる画像表示装置において、
互いに隣接する配線基板のうち、一方の配線基板の隣接側の最外部電極の外側位置に、他方の配線基板の隣接側の最外部電極と接続されるダミー電極が設けられていることを特徴とする画像表示装置。
【請求項２】
最も外側に位置する配線基板のうち、一方の配線基板の最外部電極の外側位置に、他方の配線基板の最外部電極と接続されるダミー電極が設けられていることを特徴とする請求項１記載の画像表示装置。
【発明の詳細な説明】
【０００１】
【発明の属する技術分野】
本発明は、駆動基板を配線基板を介して画像表示パネルに接続した画像表示装置に関するものであり、隣接電極間容量の均一化に関するものである。
【０００２】
【従来の技術】
液晶パネルやプラズマディスプレイ、いわゆるプラズマアドレス方式の液晶パネル等においては、画素に対応してマトリクス状に駆動電極を形成する必要があり、これら駆動電極が、表示パネルのほぼ全幅に亘って配列されているのが一般的である。
【０００３】
そして、これらの駆動電極は、外部駆動回路との電気的接続を図る必要があり、従来、フレキシブル配線基板等を介して表示パネルと駆動基板とが接続されている。
【０００４】
この場合、表示パネルが大型化すると、１枚のフレキシブル配線基板で上記駆動電極の全てを接続することは、あまり現実的ではなく、駆動電極を複数の電極群に分け、これを複数枚のフレキシブル配線基板で接続するということが行われている。
【０００５】
【発明が解決しようとする課題】
ところで、フレキシブル配線基板における電極間の結合容量を考えた場合、同一フレキシブル配線基板内では電極間距離がほぼ一定であるために、隣接電極間でほぼ等しい結合容量となる。
【０００６】
ところが、前述のように複数枚のフレキシブル配線基板により接続する場合には、各フレキシブル配線基板の最外部の電極において、隣接電極間の結合容量が小さくなってしまう。
【０００７】
これは、隣接するフレキシブル配線基板間では、どうしても同一配線基板内よりも電極間距離が大きくなってしまうからである。
【０００８】
上記隣接電極間の結合容量が異なると、表示パネルの駆動電極への印加電圧波形がこの部分だけ異なってしまい、したがてフレキシブル配線基板の境目において、表示画像にこの影響が現れている。特に、プラズマアドレス方式の表示パネルにおいて影響が大きく、場合によっては画面上にスジとなって現れる。
【０００９】
そこで本発明は、このような不都合を解決するために提案されたものであって、複数枚の配線基板により駆動基板を表示パネルと接続した場合にも、隣接電極間の結合容量を均一化することができ、高品位な画像表示が可能な画像表示装置を提供することを目的とする。
【００１０】
【課題を解決するための手段】
上述の目的を達成するために、本発明は、駆動基板が複数の配線基板を介して表示パネルに接続されてなる画像表示装置において、互いに隣接する配線基板のうち、一方の配線基板の隣接側の最外部電極の外側位置に、他方の配線基板の隣接側の最外部電極と接続されるダミー電極が設けられていることを特徴とするものである。
【００１１】
上記ダミー電極を設けることで、隣接する配線基板の電極間においても同一基板内の電極と同等の結合容量が実現され、隣接電極間結合容量の均一化が図られる。
【００１２】
【発明の実施の形態】
以下、本発明の具体的な実施の形態について、図面を参照しながら詳細に説明する。
【００１３】
本例は、プラズマアドレス表示装置に適用した例であり、プラズマアドレス表示パネルＰは、図１及び図２に示すように、電気光学表示セル１と、プラズマセル２と、それら両者の間に介在する誘電シート３とを積層した、いわゆるフラットパネル構造を有する。
【００１４】
誘電シート３には、薄板ガラス等が使用され、それ自身、キャパシタとして機能する。したがって、電気光学表示セル１とプラズマセル２との電気的結合を十分に確保し、且つ電荷の二次元的な広がりを抑制するために、この誘電シート３は、なるべく薄い方がよい。具体的には、例えば５０μｍ程度の厚さの薄板ガラスが使用される。
【００１５】
上記電気光学表示セル１は、上記誘電シート３の上にスペーサ６によって所定の間隙を保持した状態でガラス基板（上側基板）４を接合することにより形成される。
【００１６】
そして、この誘電シート３と上側基板４の間の間隙には、電気光学材料としての液晶材料が充填され、液晶層７が形成される。なお、電気光学材料としては、液晶以外のものを使用することもできる。
【００１７】
ここで、上側基板４と誘電シート３の間の間隙の寸法は、例えば４〜１０μｍとされ、表示面全面に亘ってほぼ均一に保たれている。
【００１８】
また、上記上側基板４の誘電シート３との対向面には、透明導電材料からなり、例えば行方向に延びる複数本のデータ電極５が所定の間隔を保持して列方向に並列に配列されている。
【００１９】
一方、プラズマセル２は、上記誘電シート３と、この下方に配されるガラス基板（下側基板）８とで構成されている。
【００２０】
下側基板８の誘電シート３との対向面には、上記データ電極５と直交する方向、すなわち列方向に延びる複数のアノード電極９Ａ及びカソード電極９Ｋが、交互に所定の間隔を保持して並列に配列されており、駆動電極である放電電極群を構成している。
【００２１】
また、各アノード電極９Ａ、カソード電極９Ｋの上面中央部には、電極に沿って延在するように、所定幅の隔壁１０が形成されている。そして、各隔壁１０の頂部は、誘電シート３の下面に当接され、下側基板８と誘電シート３間の間隙がほぼ一定に保たれている。
【００２２】
さらに、上記誘電シート３は、外周縁部において、低融点ガラス等を使用したフリットシール１１により、上記下側基板８に対して気密的に接合されており、プラズマセル２が密閉空間として構成されている。この密閉空間には、例えばヘリウム、ネオン、アルゴン、あるいはこれらの混合気体等、イオン化可能なガスが封入されている。
【００２３】
上述のプラズマアドレス表示パネルにおいては、下側基板８と誘電シート３の間隙に、各隔壁１０で分離された複数の放電チャンネル（空間）１２が行方向に並列に形成される。この放電チャンネル１２は、データ電極５と直交するものである。
【００２４】
したがって、各データ電極５は列駆動単位となるとともに、各放電チャンネル１２は行駆動単位となり、図３に示すように、両者の交差部がそれぞれ画素１３に対応している。
【００２５】
以上の構成のプラズマアドレス表示パネルにおいて、所定の放電チャンネル１２に対応するアノード電極９Ａとカソード電極９Ｋの間に駆動電圧が印加されると、この放電チャンネル１２内において封入されたガスがイオン化されてプラズマ放電が起こり、アノード電位に維持される。
【００２６】
この状態でデータ電極５にデータ電圧が印加されると、上記プラズマ放電が発生した放電チャンネル１２に対応して、列方向に並ぶ複数の画素１３に対応した液晶層７にデータ電圧が書き込まれる。
【００２７】
プラズマ放電が終了すると、放電チャンネル１２は浮遊電位となり、各画素１３に対応した液晶層７に書き込まれたデータ電圧は、次の書き込み期間（例えば１フィールド後あるいは１フレーム後）まで保持される。この場合、放電チャンネル１２はサンプリングスイッチとして機能し、各画素１３の液晶層７はサンプリングキャパシタとして機能する。
【００２８】
上記液晶層７に書き込まれたデータ電圧によって液晶が動作し、画素単位で表示が行われる。したがって、プラズマ放電を発生させる放電チャンネル１２を順次走査するとともに、各データ電極５にこれに同期してデータ電圧を印加することで、アクティブマトリクスアドレッシング方式と同様に液晶層７が駆動され、二次元画像の表示を行うことができる。
【００２９】
以上がプラズマアドレス表示装置の基本的な構成であるが、このプラズマアドレス表示装置においては、データ電極５や放電電極（アノード電極９Ａ、カソード電極９Ｋ）が、水平方向、垂直方向にマトリクス状に引き出されている。
【００３０】
そして、これら電極が複数枚のフレキシブル配線基板を介してドライバＩＣ等を搭載した駆動基板に接続されている。すなわち、図４に示すように、表示パネルＰは、複数枚（本例では３枚）のフレキシブル配線基板２１、２２、２３により駆動基板３０に接続されている。なお、ここでは、簡略化のために水平方向の電極についてのみ説明する。
【００３１】
表示パネルＰに設けられた水平電極は、上から順にｘ１、ｘ２、ｘ３・・・ｘ（ｍ−１）、ｘｍ、ｘ（ｍ＋１）・・・ｘ（ｎ−１）、ｘｎ、ｘ（ｎ＋１）・・・ｘｅのように表示した。
【００３２】
一方、各フレキシブル配線基板２１、２２、２３上の電極は、Ｘ１、Ｘ２、Ｘ３・・・Ｘ（ｍ−１）、Ｘｍ、Ｘ（ｍ＋１）・・・Ｘ（ｎ−１）、Ｘｎ、Ｘ（ｎ＋１）・・・Ｘｅのように表示した。
【００３３】
そして、上記水平電極のうちのｘ１はフレキシブル配線基板２１の電極Ｘ１と、ｘ２はＸ２と、ｘｍはＸｍと、というように順次接続され、駆動基板３０と電気的に接続されている。
【００３４】
この図４において、電極Ｘ１、Ｘｍはフレキシブル配線基板２１の最も外側位置に形成される電極である。同様に、電極Ｘ（ｍ＋１）、Ｘｎはフレキシブル配線基板２２の、電極Ｘ（ｎ＋１）、Ｘｅはフレキシブル配線基板２３の最も外側位置に形成される電極である。
【００３５】
通常の構成では、これら各フレキシブル配線基板２１、２２、２３の最も外側の電極の結合容量が他の電極に比べて小さくなる。
【００３６】
そこで、本例では、互いに隣接する配線基板のうち、一方の配線基板の隣接側の最外部電極の外側位置に、他方の配線基板の隣接側の最外部電極と接続されるダミー電極Ｘ′ｍ、Ｘ′ｎを設けている。これらダミー電極Ｘ′ｍ、Ｘ′ｎは、表示パネルＰと駆動基板３０の電気的接続を考えたときには必要の無いものであるが、隣接電極間の結合容量の均一化に寄与する。
【００３７】
以下に、これらダミー電極Ｘ′ｍ、Ｘ′ｎの機能について説明する。
【００３８】
水平電極ｘ１、ｘ２・・・の隣接電極間容量に着目すると、この容量は各フレキシブル配線基板２１、２２、２３における電極Ｘ１、Ｘ２・・・間の結合容量によって左右され、電極ｘ１においてはＣｘ１、電極ｘ２においてはＣｘ１／／Ｃｘ２・・・となり、ｚ番目の電極における隣接電極間容量は、Ｃｘ（ｚ−１）／／Ｃｘｚ（ｚ≠１，ｅ）と一般化できる。
【００３９】
ところが、フレキシブル配線基板の端の電極における隣接電極間容量Ｃｘｍ、Ｃｘｎは、フレキシブル配線基板内部の電極の隣接電極間容量に比べて相対的に非常に小さくなってしまう。これは、この部分の電極ピッチが他の部分の電極ピッチに比べて極端に大きくなっているためである。
【００４０】
ここで、上記ダミー電極Ｘ′ｍ、Ｘ′ｎを通常の電極と同じピッチで設けておき、これを電極Ｘ（ｍ＋１）や電極Ｘ（ｎ＋１）と接続しておけば、結合容量Ｃ′ｘｍ、Ｃ′ｘｎを発生させることができ、この部分における隣接電極間容量を他の部分と等しくすることができる。これにより、隣接電極間容量Ｃｘ（ｚ−１）／／Ｃｘｚ（ｚ≠１，ｅ）は、全ての電極においてほぼ等しくなる。
【００４１】
このように、ダミー電極Ｘ′ｍ、Ｘ′ｎを設けることにより、表示パネルＰの引き出し電極の隣接電極間容量を均一化することができるので、駆動基板３０から印加される信号電圧の波形を均一化することができ、画像品位を大幅に高めることが可能である。
【００４２】
なお、ｚ＝１，ｅのときには、図４に示すように、最も外側に位置する配線基板のうち、一方の配線基板２３の最外部電極の外側位置に、他方の配線基板２１の最外部電極Ｘ１と接続されるダミー電極Ｘ′ｅを設ければ、同様の効果を得ることができる。
【００４３】
ただし、この部分は、画面上において上下両端部に相当するため、多少画面のユニフォミティが損なわれていても目立たないので、必ずしも前記ダミー電極Ｘ′ｅを設けなくともよい。
【００４４】
以上、本発明を適用した具体的な実施形態について説明してきたが、本発明がこの例に限定されるものでなく、種々の変更が可能であることは言うまでもない。
【００４５】
例えば、プラズマアドレス表示装置を例にして説明したが、画像表示装置としては、通常の液晶表示装置等、フラットパネル型の画像表示装置全般に適用可能である。
【００４６】
【発明の効果】
以上の説明からも明らかなように、本発明によれば、隣接電極間の結合容量を均一化することができ、高品位な画像表示が可能な画像表示装置を提供することが可能である。
【図面の簡単な説明】
【図１】プラズマアドレス表示パネルの構成例を一部切り欠いて示す概略斜視図である。
【図２】プラズマアドレス表示パネルの構成例を示す概略断面図である。
【図３】データ電極、放電電極、放電チャンネルの配列を示す模式図である。
【図４】配線基板における電極パターンを模式的に示す平面図である。
【符号の説明】
１  電気光学表示セル、２  プラズマセル、３  誘電シート、４  上側基板、５データ電極、７  液晶層、８  下側電極、９Ａ  アノード電極、９Ｋ  カソード電極、１０  隔壁、１１  フリットシール、２１，２２，２３  フレキシブル配線基板、３０  駆動基板、Ｘ′ｍ，Ｘ′ｎ，Ｘ′ｅ  ダミー電極
【図１】
0003624596.tif 000002
【図２】
0003624596.tif 000003
【図３】
0003624596.tif 000004
【図４】
0003624596.tif 000005